(57)【要約】【課題】セキュリティーを確保して簡単に接続することができる表示装置、表示システム、及び、表示装置の制御方法を提供する。【解決手段】プロジェクター１０は、ＰＣ５０等の画像供給装置が接続可能な第１の無線ネットワーク１０１を提供する第１無線通信Ｉ／Ｆ１１と、第１の無線ネットワーク１０１に接続したＰＣ５０に対し、第１の無線ネットワーク１０１を介して共通鍵を交換する秘匿情報制御部４５と、接続が制限された第２の無線ネットワーク１０２を提供する第２無線通信Ｉ／Ｆ１２と、第２の無線ネットワーク１０２に接続するための情報を共通鍵を用いて秘匿して、第１の無線ネットワーク１０１を介してＰＣ５０に通知する接続情報制御部４６と、を備えている。【選択図】図１
2014048367.tif 000002
【特許請求の範囲】
【請求項１】
他のデバイスが接続可能な第１の無線ネットワークを提供する第１の無線通信手段と、
前記第１の無線ネットワークに接続した前記他のデバイスに対し、前記第１の無線ネットワークを介して秘匿用の情報を交換する秘匿情報交換手段と、
接続が制限された第２の無線ネットワークを提供する第２の無線通信手段と、
前記第２の無線ネットワークに接続するための情報を前記秘匿用の情報を用いて秘匿して、前記第１の無線ネットワークを介して前記他のデバイスに通知する接続情報通知手段と、を備えた
ことを特徴とする表示装置。
【請求項２】
請求項１に記載の表示装置であって、
前記第２の無線ネットワークに接続するための前記秘匿用の情報を前記第１の無線ネットワークに接続した前記他のデバイスに表示させることを特徴とする表示装置。
【請求項３】
請求項１又は２に記載の表示装置であって、
前記第１の無線ネットワークに前記他のデバイスが接続した場合、新たに前記第２の無線ネットワークに接続するための情報を生成することを特徴とする表示装置。
【請求項４】
請求項１乃至３のいずれか一項に記載の表示装置であって、
前記第１の無線ネットワーク、前記第２の無線ネットワークのそれぞれに対応する無線通信装置を備えることを特徴とする表示装置。
【請求項５】
請求項１乃至４のいずれか一項に記載の表示装置であって、
２台目以降の前記他のデバイスが前記第１の無線ネットワークに接続した場合は、当該２台目以降の他のデバイスを、既存の前記第２の無線ネットワークに接続するか、または新たに別の無線ネットワークを生成して当該別の無線ネットワークに接続することを特徴とする表示装置。
【請求項６】
他のデバイスと、前記他のデバイスが接続可能な表示装置と、を備える表示システムであって、
前記他のデバイスが接続可能な第１の無線ネットワークを提供する第１の無線通信手段と、
前記第１の無線ネットワークに接続した前記他のデバイスに対し、前記第１の無線ネットワークを介して秘匿用の情報を交換する秘匿情報交換手段と、
接続が制限された第２の無線ネットワークを提供する第２の無線通信手段と、
前記第２の無線ネットワークに接続するための情報を前記秘匿用の情報を用いて秘匿して、前記第１の無線ネットワークを介して前記他のデバイスに通知する接続情報通知手段と、を備えた
ことを特徴とする表示システム。
【請求項７】
他のデバイスが接続可能な第１の無線ネットワークを第１の無線通信手段により提供し、
前記第１の無線ネットワークに接続した前記他のデバイスに対し、前記第１の無線ネットワークを介して秘匿用の情報を秘匿情報交換手段を介して交換し、
接続が制限された第２の無線ネットワークを第２の無線通信手段により提供し、
前記第２の無線ネットワークに接続するための情報を前記秘匿用の情報を用いて秘匿して、前記第１の無線ネットワークを介して前記他のデバイスに接続情報通知手段により通知する
ことを特徴とする表示装置の制御方法。
【発明の詳細な説明】
【技術分野】
【０００１】
本発明は、他の装置から入力される画像データに基づく画像を表示する表示装置、表示システム、及び、表示装置の制御方法に関する。
【背景技術】
【０００２】
従来、画像データを出力する、例えばパーソナルコンピューター等の画像供給装置と表示装置とを有線通信または無線通信によって接続し、画像供給装置から有線通信または無線通信によって画像データを表示装置に送信し、表示装置により受信した画像データに基づいて画像を表示する表示システムが知られている。この種の表示システムでは、画像供給装置と表示装置との接続の設定を簡便にし、かつセキュリティーを確保するための種々の方法が提案されている。例えば、特許文献１の表示装置では、表示装置に記憶されている設定情報に対応する設定情報を不揮発性記憶媒体からなる記憶手段に格納し、この記憶手段を画像供給装置に装着させることで、画像供給装置と表示装置とをセキュリティーを確保して接続している。
【先行技術文献】
【特許文献】
【０００３】
【特許文献１】特開２００５−２８５０９１号公報
【発明の概要】
【発明が解決しようとする課題】
【０００４】
しかしながら、設定情報を記憶した記憶手段を用いて表示装置に画像供給装置を接続するため、複数の画像供給装置を表示装置に接続する場合には、設定情報を記憶した記憶手段を各画像供給装置に装着して接続設定を行う必要があり、操作性が悪かった。また、例えばセキュリティー強化のために、設定情報を書き換える際には、記憶手段に記憶されている設定情報に対応する設定情報も書き換える必要があり、設定情報の管理が容易ではなかった。
本発明は、上述した従来の技術が有する課題を解消し、セキュリティーを確保して簡単に接続することができる表示装置、表示システム、及び、表示装置の制御方法を提供することを目的とする。
【課題を解決するための手段】
【０００５】
上記目的を達成するために、本発明は、他のデバイスが接続可能な第１の無線ネットワークを提供する第１の無線通信手段と、前記第１の無線ネットワークに接続した前記他のデバイスに対し、前記第１の無線ネットワークを介して秘匿用の情報を交換する秘匿情報交換手段と、接続が制限された第２の無線ネットワークを提供する第２の無線通信手段と、前記第２の無線ネットワークに接続するための情報を前記秘匿用の情報を用いて秘匿して、前記第１の無線ネットワークを介して前記他のデバイスに通知する接続情報通知手段と、を備えたことを特徴とする。
この構成によれば、他のデバイスが接続可能な第１の無線ネットワークを経由して、第１の無線ネットワークに接続した他のデバイスに第２の無線ネットワークに接続するための情報を秘匿して通知するため、セキュリティーが確保された第２の無線ネットワークに、他のデバイスを簡単に接続することができる。
【０００６】
また本発明は、上記表示装置において、前記第２の無線ネットワークに接続するための前記秘匿用の情報を前記第１の無線ネットワークに接続した前記他のデバイスに表示させることを特徴とすることを特徴とする。
この構成によれば、秘匿用の情報を第１の無線ネットワークに接続した他のデバイスに表示させるため、秘匿用の情報を他のデバイスのユーザー以外の人が知ることができないように表示することができ、セキュリティーを確保することができる。
【０００７】
また本発明は、上記表示装置において、前記第１の無線ネットワークに前記他のデバイスが接続した場合、新たに前記第２の無線ネットワークに接続するための情報を生成することを特徴とする。
この構成によれば、複数の他のデバイスが接続される場合には、デバイス毎にセキュリティーが確保された第２の無線ネットワークに接続するための情報が生成されるため、情報の秘匿性が向上し、セキュリティーを確保することができる。
【０００８】
また本発明は、上記表示装置において、前記第１の無線ネットワーク、前記第２の無線ネットワークのそれぞれに対応する無線通信装置を備えることを特徴とする。
この構成によれば、複数の無線通信装置が備えられるため、各無線通信装置を異なる方向からの偏波を送受信できるように配設することができ、良好な通信を可能とすることができる。また、一方の無線通信装置に異常が発生した場合に、他方の無線通信装置を代替することで、生成した無線ネットワークを停止することなく継続させることができる。
【０００９】
また本発明は、上記表示装置において、２台目以降の前記他のデバイスが前記第１の無線ネットワークに接続した場合は、当該２台目以降の他のデバイスを、既存の前記第２の無線ネットワークに接続するか、または新たに別の無線ネットワークを生成して当該別の無線ネットワークに接続することを特徴とすることを特徴とする。
この構成によれば、複数台の他のデバイスを相互に操作可能に接続するか、または、複数台の他のデバイスを各々のデバイスからのみ操作可能に接続するか、を選択可能な構成とすることができ、ユーザービリティーを向上することができる。
【００１０】
また本発明は、他のデバイスと、前記他のデバイスが接続可能な表示装置と、を備える表示システムであって、前記他のデバイスが接続可能な第１の無線ネットワークを提供する第１の無線通信手段と、前記第１の無線ネットワークに接続した前記他のデバイスに対し、前記第１の無線ネットワークを介して秘匿用の情報を交換する秘匿情報交換手段と、接続が制限された第２の無線ネットワークを提供する第２の無線通信手段と、前記第２の無線ネットワークに接続するための情報を前記秘匿用の情報を用いて秘匿して、前記第１の無線ネットワークを介して前記他のデバイスに通知する接続情報通知手段と、を備えたことを特徴とする。
この構成によれば、他のデバイスが接続可能な第１の無線ネットワークを経由して、第１の無線ネットワークに接続した他のデバイスに第２の無線ネットワークに接続するための情報を秘匿して通知するため、セキュリティーが確保された第２の無線ネットワークに、他のデバイスを簡単に接続することができる。
【００１１】
また本発明は、表示装置の制御方法であって、他のデバイスが接続可能な第１の無線ネットワークを第１の無線通信手段により提供し、前記第１の無線ネットワークに接続した前記他のデバイスに対し、前記第１の無線ネットワークを介して秘匿用の情報を秘匿情報交換手段を介して交換し、接続が制限された第２の無線ネットワークを第２の無線通信手段により提供し、前記第２の無線ネットワークに接続するための情報を前記秘匿用の情報を用いて秘匿して、前記第１の無線ネットワークを介して前記他のデバイスに接続情報通知手段により通知することを特徴とする。
この構成によれば、他のデバイスが接続可能な第１の無線ネットワークを経由して、第１の無線ネットワークに接続した他のデバイスに第２の無線ネットワークに接続するための情報を秘匿して通知するため、セキュリティーが確保された第２の無線ネットワークに、他のデバイスを簡単に接続することができる。
【発明の効果】
【００１２】
本発明によれば、他のデバイスが接続可能な第１の無線ネットワークを経由して、第１の無線ネットワークに接続した他のデバイスに第２の無線ネットワークに接続するための情報を秘匿して通知するため、セキュリティーが確保された第２の無線ネットワークに、他のデバイスを簡単に接続することができる。
【図面の簡単な説明】
【００１３】
【図１】本発明の実施形態に係る表示システムの機能ブロック図である。
【図２】表示システムの動作を示すシーケンス図であり、（Ａ）はプロジェクターの動作を示し、（Ｂ）はＰＣの動作を示す。
【図３】表示システムのネットワーク構成を示す模式図である。
【発明を実施するための形態】
【００１４】
以下、図面を参照して本発明を適用した実施形態について説明する。
図１は、実施形態に係るプロジェクションシステム（表示システム）１を構成するプロジェクター（表示装置）１０及びＰＣ（他のデバイス）５０の機能的構成を示すブロック図である。この図１に示すプロジェクションシステム１は、投射面であるスクリーンＳＣに画像を投射する表示装置としてのプロジェクター１０に、画像を供給する画像供給装置としてのＰＣ（パーソナルコンピューター）５０を接続して構成される。
プロジェクター１０は、ＰＣ５０等のコンピューターや各種画像プレーヤー等の外部の画像供給装置に、無線通信Ｉ／Ｆ１１，１２（以下、第１無線通信Ｉ／Ｆ１１、第２無線通信Ｉ／Ｆ１２という）を介して接続され、無線通信Ｉ／Ｆ１１，１２に入力されるデジタル画像データに基づく画像をスクリーンＳＣに投射する。第１無線通信Ｉ／Ｆ（第１の無線通信手段）１１、第２無線通信Ｉ／Ｆ（第２の無線通信手段）１２は、例えば、プロジェクター１０の筐体の水平方向と、垂直方向とに組み込む構成としても良い。プロジェクター１０に、垂直方向と、水平方向とに２つの無線通信Ｉ／Ｆ１１，１２を設置することにより、垂直方向と、水平方向との偏波を送受信できるようになり、良好な通信を可能とすることができる。
【００１５】
プロジェクター１０は、大きく分けて光学的な画像の形成を行う投射部２０と、この投射部２０に入力される画像信号を電気的に処理する画像処理系とからなる。投射部２０は、照明光学系２１、光変調装置２２、及び投射光学系２３から構成されている。照明光学系２１は、キセノンランプ、超高圧水銀ランプ、ＬＥＤ（Ｌｉｇｈｔ  Ｅｍｉｔｔｉｎｇ  Ｄｉｏｄｅ）、レーザー光源等からなる光源を備えている。また、照明光学系２１は、光源が発した光を光変調装置２２に導くリフレクター及び補助リフレクターを備えていてもよく、投射光の光学特性を高めるためのレンズ群（図示略）、偏光板、或いは光源が発した光の光量を光変調装置２２に至る経路上で低減させる調光素子等を備えたものであってもよい。照明光学系２１には、制御部１４の制御に従って照明光学系２１の光源を駆動する光源駆動部３５が接続されている。
【００１６】
光変調装置２２は、後述する画像処理系からの信号を受けて、照明光学系２１が発した光を変調して画像光とする。光変調装置２２の具体的な構成としては、例えば、ＲＧＢの各色に対応した３枚の透過型または反射型の液晶ライトバルブを用いた方式が挙げられる。この場合、光変調装置２２には、照明光学系２１が発した光がダイクロイックミラー等によりＲ、Ｇ、Ｂの各色光に分離されて入射する。光変調装置２２の液晶ライトバルブは、後述する光変調装置駆動部３３によって駆動され、各色光を変調する。変調された各色光はクロスダイクロイックプリズムにより合成され、投射光学系２３に導かれる。
また、例えば、光変調装置２２を１枚の液晶ライトバルブとカラーホイールを組み合わせた方式としてもよく、単板のデジタルミラーデバイス（ＤＭＤ）とカラーホイールを組み合わせた方式、ＲＧＢ各色の色光を変調する３つのＤＭＤを用いた方式等により構成してもよい。単板の液晶パネルまたはＤＭＤを用いる場合には、色光の分離／合成をする光学部品は不要である。
【００１７】
投射光学系２３は、光変調装置２２で変調された入射光をスクリーンＳＣ上に投射して結像させるためのレンズ群等を備えて構成される。また、投射光学系２３は、投射光量を絞る絞り等を調整するためのモーター類を備え、制御部１４の制御に従って上記モーター等を駆動する投射光学系駆動部３４が接続されている。
プロジェクター１０は、ズーム調整レバー（図示略）やフォーカス調整レバー（図示略）を備え、これらのレバーの操作によって、投射光学系２３が有するレンズを移動させ、スクリーンＳＣ上の投射画像の拡大、縮小及びフォーカス調整が行われる。
【００１８】
画像処理系は、プロジェクター１０全体を統合的に制御する制御部１４を中心に構成され、制御部１４が処理するデータや制御部１４が実行する制御プログラムを記憶した記憶部１５、リモコンや操作パネルによる操作を検出する入力処理部１６、画像データを処理する画像処理部３１、画像処理部３１から出力される画像信号に基づいて光変調装置２２を駆動して描画を行う光変調装置駆動部３３を備えている。
【００１９】
制御部１４は、記憶部１５に記憶された制御プログラムを読み出して実行することにより、プロジェクター１０の各部を制御する。制御部１４は、入力処理部１６から入力される操作情報に基づいて、ユーザーが行った操作の内容を検出し、この操作に応じて画像処理部３１、光変調装置駆動部３３、投射光学系駆動部３４及び光源駆動部３５を制御して、スクリーンＳＣに画像を投射させる。
【００２０】
入力処理部１６は、プロジェクター１０を操作するリモコン（図示略）が送信する無線信号を受信してデコードし、リモコンにおける操作を検出する機能、及び、プロジェクター１０の操作パネル（図示略）におけるボタン操作を検出する機能を有する。入力処理部１６は、リモコンや操作パネルにおける操作を示す操作信号を生成して、制御部１４に出力する。また、入力処理部１６は、制御部１４の制御に従い、プロジェクター１０の動作状態や設定状態に応じて操作パネル（図示略）のインジケーターランプの点灯状態を制御する。
【００２１】
プロジェクター１０とＰＣ５０とは、無線通信方式によって各種データを送受信可能に接続され、例えば無線ＬＡＮ、Ｂｌｕｅｔｏｏｔｈ（登録商標）、ＵＷＢ、赤外線通信等の近距離無線通信方式等の無線通信方式を採用することができる。なお、プロジェクションシステム１においてＰＣ５０からプロジェクター１０に伝送される画像データは、動画像（映像）データであっても良いし、静止画像データであってもよい。
第１無線通信Ｉ／Ｆ１１は、図示しないアンテナやＲＦ回路等を備え、制御部１４の第１通信制御部４１によって制御され、画像データ等の各種データをＰＣ５０間で送受信する。第１通信制御部４１は、第１無線通信Ｉ／Ｆ１１からＢｅａｃｏｎパケットを送出し、オープンネットワークを介してＰＣ５０を自由にプロジェクター１０に接続することができる第１の無線ネットワーク１０１を提供する。ＰＣ５０と、プロジェクター１０とは、第１の無線ネットワーク１０１により相互に通信可能に接続される。
【００２２】
第２無線通信Ｉ／Ｆ１２は、図示しないアンテナやＲＦ回路等を備え、制御部１４の第２通信制御部４２によって制御される。第２通信制御部４２は、第２無線通信Ｉ／Ｆ１２を経由して、ＰＣ５０をセキュリティーを確保してプロジェクター１０に接続することができるセキュアネットワークである第２の無線ネットワーク１０２を提供する。ＰＣ５０と、プロジェクター１０とは、第２の無線ネットワーク１０２により、セキュリティーを確保して相互に通信可能に接続され、プロジェクター１０とＰＣ５０との間で送受信する情報を秘匿する。
【００２３】
画像処理部３１は、制御部１４の制御に従って、ＰＣ５０から入力された画像データを取得して、画像サイズ或いは解像度、静止画像か動画像であるかの別、動画像の場合はフレームレート等の画像データの属性を判定する。そして、画像処理部３１は、フレーム毎にフレームメモリー３２に画像を展開する。また、画像処理部３１は、取得した画像データの解像度が光変調装置２２の液晶パネルの表示解像度と異なる場合には解像度変換処理を行い、リモコンや操作パネルの操作によりズームが指示された場合には拡大／縮小処理を行って、これらの処理後の画像をフレームメモリー３２に展開する。その後、画像処理部３１は、フレームメモリー３２に展開したフレーム毎の画像を表示信号として光変調装置駆動部３３に出力する。
【００２４】
一方、ＰＣ５０は、プログラムを実行してＰＣ５０の各部を制御するＣＰＵ５１、ＣＰＵ５１が実行する制御プログラムや制御プログラムで処理されるデータを不揮発的に記憶するＲＯＭ５２、ＣＰＵ５１が実行するプログラムや処理されるデータを一時的に記憶するＲＡＭ５３、キーボードやマウス等の入力デバイス（図示略）による入力操作を検出する入力部５４、液晶ディスプレイ等の表示デバイス（図示略）に表示信号を出力して、ＣＰＵ５１による処理結果や操作用の画面を表示させる表示部５５、及び、ＣＰＵ５１が実行するアプリケーションプログラムや各種データを不揮発的に記憶する記憶部５６を備えている。
また、ＰＣ５０は、無線通信方式によってプロジェクター１０との間で画像データ等の各種データを送受信するためのインターフェイスとして、無線通信Ｉ／Ｆ５７を備えている。無線通信Ｉ／Ｆ５７は、第１無線通信Ｉ／Ｆ１１、第２無線通信Ｉ／Ｆ１２と同様に、図示しないアンテナやＲＦ回路等を備え、ＣＰＵ５１によって制御される。
【００２５】
ＣＰＵ５１は、ＲＯＭ５２に記憶された制御プログラムを読み出して実行し、ＰＣ５０の各部の初期化を行う。その後、ＣＰＵ５１は、入力部５４における入力操作に従って、記憶部５６に記憶されたアプリケーションプログラムを読み出して実行することにより、各種機能を実現する。例えば、ＣＰＵ５１は、入力部５４における入力操作に従って、ＣＰＵ５１がアプリケーションプログラムを実行することにより生成した画像データ、記憶部５６に記憶している画像データ、表示部５５によって表示デバイス（図示略）に表示されている画像の画像データ、或いは、外部の記録媒体や別の装置から取得した画像データを、プロジェクター１０に出力する。
【００２６】
以上のように構成されるプロジェクションシステム１において、プロジェクター１０が有する制御部１４は、記憶部１５が記憶する制御プログラムを実行することにより、第１通信制御部４１、第２通信制御部４２、秘匿情報制御部（秘匿情報交換手段）４５、接続情報制御部（接続情報通知手段）４６、投射制御部４３、及び補正制御部４４の機能を実現する。
【００２７】
次に、図２は、プロジェクター１０にＰＣ５０が接続される際のプロジェクションシステム１の動作を図２のシーケンス図を用いて説明する。
図２は、ＰＣ５０から送信される画像データに基づく画像をプロジェクター１０で投射してスクリーンＳＣに表示する際に、セキュリティーを確保してプロジェクター１０とＰＣ５０との無線接続を確立する際の動作を示し、（Ａ）はプロジェクター１０の動作を示し、（Ｂ）はＰＣ５０の動作を示す。
【００２８】
プロジェクター１０は、上述したように、制御部１４の第１通信制御部４１の機能により、第１無線通信Ｉ／Ｆ１１を経由して自由に接続可能な第１の無線ネットワーク１０１を提供するとともに、第１の無線ネットワーク１０１をオープンな状態で維持する（ステップＳ１１）。
第１の無線ネットワーク１０１を経由して、ＰＣ５０とプロジェクター１０との接続が確立されると（ステップＳ１２）、続いて、制御部１４は、秘匿情報制御部４５の機能により、Ｄｉｆｆｉｅ−Ｈｅｌｌｍａｎ（デフィー・ヘルマン）鍵交換の仕組みを用いて、プロジェクター１０とＰＣ５０との間で共通鍵（秘匿用の情報）を生成する（ステップＳ１３）。共通鍵は、プロジェクター１０とＰＣ５０との接続を確立する毎に新たに生成される。
【００２９】
次に、第１の無線ネットワーク１０１を経由して、ＰＣ５０から共通鍵の認証を受信すると（ステップＳ１４）、制御部１４は、接続情報制御部４６の機能により、ステップ１３で生成した共通鍵から、セキュリティーが確保された無線ネットワークを生成するためのＳＳＩＤ、セキュリティー設定、または、パスフレーズ等の設定情報を生成する（ステップＳ１５）。続いて、制御部１４は、第２通信制御部４２の機能により、ステップＳ１５で生成した設定情報に基づいて第２無線通信Ｉ／Ｆ１２を設定し、セキュリティーが確保された第２の無線ネットワーク１０２を提供する（ステップＳ１６）。
【００３０】
次に、制御部１４は、ステップＳ１５で共通鍵から生成され、共通鍵により秘匿された設定情報を、第１通信制御部４１の機能により、第１無線通信Ｉ／Ｆから第１の無線ネットワーク１０１を経由して、接続対象のＰＣ５０に送信し（ステップＳ１７）、動作を終了する。なお、第２の無線ネットワーク１０２に接続するための設定情報は、プロジェクター１０とＰＣ５０との接続を確立する毎に新たに生成される共通鍵から生成されるため、一度プロジェクター１０に接続したことがあるＰＣ５０を再びプロジェクター１０に接続する場合には、新たな設定情報となる。この構成によれば、例え設定情報が傍受されても、当該設定情報を用いて第３者がプロジェクター１０にセキュリティーが確保された第２の無線ネットワークを経由して接続することはできず、セキュリティーが確保された接続を確保することができる。
【００３１】
続いて、ＰＣ５０の動作について説明する。
ＰＣ５０は、ユーザー操作により、無線通信Ｉ／Ｆ５７を介して、オープンな第１の無線ネットワーク１０１に接続され、プロジェクター１０との接続が確立される（ステップＳ２１）。続いて、ＰＣ５０は、ＣＰＵ５１の機能により、Ｄｉｆｆｉｅ−Ｈｅｌｌｍａｎ鍵交換方式に従って、プロジェクター１０とＰＣ５０との間で共通鍵を生成する（ステップＳ２２）。
次に、ＣＰＵ５１は、表示部５５を制御して、ステップＳ２２で生成した共通鍵を表示部５５に表示して認証する（ステップＳ２３）。共通鍵の認証は、ユーザーにより入力部５４を介して行われる構成であっても良いし、または、共通鍵を表示部５５に表示して所定時間経過した後に自動で認証する構成であっても良い。
【００３２】
共通鍵が認証されると、ＣＰＵ５１は、無線通信Ｉ／Ｆ５７から第１の無線ネットワーク１０１を経由してプロジェクター１０に共通鍵の認証を送信する（ステップＳ２４）。
続いて、ＰＣ５０は、第１の無線ネットワーク１０１を経由してプロジェクター１０から送信されるセキュアネットワークへ接続するための設定情報を無線通信Ｉ／Ｆ５７を介して受信する（ステップＳ２５）。ＣＰＵ５１は、ステップＳ２５で受信した設定情報に基づいてネットワークの接続設定を更新する（ステップＳ２６）。これにより、ＰＣ５０は、ネットワークへの接続設定が第２の無線ネットワーク１０２に接続するべく更新される。よって、ＰＣ５０は、自動的に、セキュリティーが確保された第２の無線ネットワークを経由してプロジェクター１０に接続される。
【００３３】
なお、プロジェクションシステム１において、図３に示すように、プロジェクター１０に、複数のＰＣ５０ａ，５０ｂを接続して、複数のＰＣ５０ａ，５０ｂから入力される画像データに基づいて画像をスクリーンＳＣに投射して表示させることも可能である。この場合、プロジェクター１０は、複数のＰＣ５０ａ，５０ｂから入力される複数の入力画像をスクリーンＳＣ上に並べて同時に表示する、いわゆる多画面表示を行うことができる。
【００３４】
プロジェクター１０とＰＣ５０ａ，５０ｂとを第２の無線ネットワーク１０２を経由してセキュリティーを確保して接続する場合には、図３（Ａ）に示すように、同一のセキュアネットワーク内で、プロジェクター１０と、複数のＰＣ５０ａ，５０ｂとを接続する構成とすることができる。同一のセキュアネットワーク内で、プロジェクター１０と複数のＰＣ５０ａ，５０ｂとを接続した場合には、ＰＣ５０ａ，５０ｂの投射画像の変更等の操作を相互に行うことが可能となる。また、複数のＰＣ５０ａ，５０ｂから入力される画像データに基づいて画像を同時にスクリーンＳＣに投射して表示したいが、ＰＣ５０ａ，５０ｂの相互操作を抑制したい場合には、図３（Ｂ）に示すように、各ＰＣ５０ａ，５０ｂを異なるセキュアネットワークＩ，ＩＩを介してプロジェクター１０に接続する構成としても良い。
この構成において、プロジェクター１０に２台目以降のＰＣ５０を接続する際には、複数のＰＣ５０ａ，５０ｂを、同一のセキュアネットワーク１０２ａを介してプロジェクター１０に接続するか、もしくは、異なるセキュアネットワークＩ，ＩＩを介してプロジェクター１０に接続するかは、ユーザーが選択可能な構成であっても良い。
これらの構成によれば、プロジェクター１０に複数のＰＣ５０を接続することができるとともに、複数のＰＣ５０を相互に操作可能に接続するか、または、相互操作を抑制して接続するかをユーザーが任意に選択することができ、プロジェクションシステム１のユーザービリティーの向上を図ることができる。
【００３５】
以上説明したように、本発明を適用した実施形態に係るプロジェクター１０によれば、ＰＣ５０等の画像供給装置が接続可能な第１の無線ネットワーク１０１を提供する第１無線通信Ｉ／Ｆ１１と、第１の無線ネットワーク１０１に接続した画像供給装置に対し、第１の無線ネットワーク１０１を介して共通鍵を交換する秘匿情報制御部４５と、接続が制限された第２の無線ネットワーク１０２を提供する第２無線通信Ｉ／Ｆ１２と、第２の無線ネットワーク１０２に接続するための情報を共通鍵を用いて秘匿して、第１の無線ネットワーク１０１を介して画像供給装置に通知する接続情報制御部４６と、を備えている。
これにより、ＰＣ５０等の画像供給装置をプロジェクター１０に接続する際には、自由に接続可能な第１の無線ネットワーク１０１を経由して、共通鍵を生成するとともに、接続が制限された第２の無線ネットワーク１０２に接続するための設定情報を共通鍵により秘匿して、第１の無線ネットワーク１０１を介してプロジェクター１０からＰＣ５０に通知することができる。そして、ＰＣ５０のネットワーク接続情報をプロジェクター１０から通知された設定情報に基づいて更新することで、ＰＣ５０をセキュリティーが確保された第２の無線ネットワーク１０２を経由してプロジェクター１０に、簡単に接続することができる。よって、ユーザーは、設定情報を手作業で入力する、あるいは、設定情報を記憶した不揮発性記憶媒体をＰＣ５０に装着させる等の操作を行うことなく、ＰＣ５０をセキュリティーが確保された第２の無線ネットワーク１０２を経由してプロジェクター１０に簡単に接続することができる。
【００３６】
また、プロジェクター１０は、第２の無線ネットワーク１０２に接続するための共通鍵を第１の無線ネットワーク１０１に接続したＰＣ５０に表示させる。これにより、共通鍵を接続対象のＰＣ５０のユーザー以外の人が知ることができないように表示することができ、ＰＣ５０とプロジェクター１０とのセキュリティー接続を確保することができる。
【００３７】
また、プロジェクター１０は、第１の無線ネットワーク１０１にＰＣ５０が接続した場合、新たに第２の無線ネットワーク１０２に接続するための情報を生成する。これにより、複数のＰＣ５０がプロジェクター１０に接続される場合には、ＰＣ５０毎にセキュリティーが確保された第２の無線ネットワーク１０２に接続するための設定情報が生成されるため、情報の秘匿性が向上し、セキュリティーを確保することができる。また、第２の無線ネットワーク１０２に接続するための設定情報は、プロジェクター１０とＰＣ５０との接続を確立する毎に新たに生成される共通鍵から生成されるため、一度プロジェクター１０に接続したことがあるＰＣ５０を再びプロジェクター１０に接続する場合でも、新たな設定情報が必要となる。よって、例え設定情報が傍受されても、当該設定情報を用いて第３者がプロジェクター１０にセキュリティーが確保された第２の無線ネットワーク１０２を経由して接続することはできず、セキュリティーが確保することができる。
【００３８】
また、プロジェクター１０は、第１の無線ネットワーク１０１、第２の無線ネットワーク１０２のそれぞれに対応する無線通信Ｉ／Ｆを備える。これによれば、第１無線通信Ｉ／Ｆ１１、第２無線通信Ｉ／Ｆ１２は、をそれぞれプロジェクター１０の筐体の水平方向と、垂直方向とに組み込むことができ、垂直方向と、水平方向との偏波を送受信できるようになり、良好な通信を可能とすることができる。また、一方の無線通信Ｉ／Ｆに異常が発生した場合に、他方の無線通信Ｉ／Ｆを代替することで、生成した無線ネットワークを停止することなく継続させることができる。
【００３９】
また、プロジェクター１０は、２台目以降のＰＣ５０が第１の無線ネットワーク１０１に接続した場合は、当該２台目以降のＰＣ５０を、既存の第２の無線ネットワーク１０２に接続するか、または新たに別の無線ネットワークを生成して当該別の無線ネットワークに接続する。これによれば、プロジェクター１０に複数のＰＣ５０を接続することができるとともに、複数のＰＣ５０を相互に操作可能に接続するか、または、相互操作を抑制して、各ＰＣ５０を各ユーザーのみが操作可能に接続するかをユーザーが任意に選択することができ、プロジェクションシステム１のユーザービリティーを向上することができる。
【００４０】
なお、上述した実施形態は本発明を適用した具体的態様の例に過ぎず、本発明を限定するものではなく、上記実施形態とは異なる態様として本発明を適用することも可能である。例えば、上記実施形態の表示装置は、スクリーンＳＣに画像を投射するプロジェクターである構成としたが、これに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当する。
また、上記実施形態においてソフトウェアで実現されている機能の一部をハードウェアで実現してもよく、あるいは、ハードウェアで実現されている機能の一部をソフトウェアで実現してもよい。その他、プロジェクター１０、ＰＣ５０、及びプロジェクションシステム１の他の各部の具体的な細部構成についても、本発明の趣旨を逸脱しない範囲で任意に変更可能である。
【符号の説明】
【００４１】
１…プロジェクションシステム（表示システム）、１０…プロジェクター（表示装置）、１１…第１無線通信Ｉ／Ｆ（第１の無線通信手段）、１２…第２無線通信Ｉ／Ｆ（第２の無線通信手段）、１４…制御部、２０…投射部、２１…照明光学系、２２…光変調装置、２３…投射光学系、４１…第１通信制御部、４２…第２通信制御部、４３…投射制御部、４４…補正制御部、４５…秘匿情報制御部（秘匿情報交換手段）、４６…接続情報制御部（接続情報通知手段）、５０…ＰＣ（他のデバイス、画像供給装置）、５１…ＣＰＵ、５５…表示部、１０１…第１の無線ネットワーク、１０２…第２の無線ネットワーク、ＳＣ…スクリーン。
【図１】
2014048367.tif 000003
【図２】
2014048367.tif 000004
【図３】
2014048367.tif 000005